(57)【要約】      （修正有）【課題】キーシリンダにより操作部材の動きを規制するロック状態とロック解除状態の切換機構を簡易化してスペース効率に優れると共に、切換操作性も向上する開閉体のロック装置を提供する。【解決手段】ハウジング１と、ハウジングに対し出没方向へ摺動して固定本体の開口部に対する開閉体の閉状態を保つ係止位置と係止解除位置に切り換えられるロッド４Ａと、ロッドを係止位置から付勢力に抗した摺動により係止解除位置に切換可能な操作部材２と、ロッドと操作部材の間に介在された作動部材３と、ロッドの係止位置で操作部材の動きを規制可能にするキーシリンダ６とを備えたロック装置において、キーシリンダ６は、下側に設けられて一体的に回動されるカム６３を有し、カムに形成されたストッパ部６５により作動部材３を可動不能にして操作部材２の動きを規制するロック状態と動きを許容するロック解除状態に切り換える。【選択図】図４
2020060027.tif 000002
【特許請求の範囲】
【請求項１】
開閉体を固定本体に係脱する場合に用いられて、ハウジングと、前記ハウジングに対し出没方向へ摺動して前記固定本体の開口部に対する前記開閉体の閉状態を保つ係止位置と係止解除位置に切り換えられるロッドと、前記ロッドを係止位置から付勢力に抗した摺動により係止解除位置に切換可能な操作部材と、前記ロッドと前記操作部材の間に介在された作動部材と、前記ロッドの係止位置で前記操作部材の動きを規制可能にするキーシリンダとを備えたロック装置において、
前記キーシリンダは、下側に設けられて一体的に回動されるカムを有し、前記カムに形成されたストッパ部により前記作動部材を可動不能にして前記操作部材の動きを規制するロック状態と、前記操作部材の動きを許容するロック解除状態に切り換えることを特徴とする開閉体のロック装置。
【請求項２】
前記カムは、前記ストッパ部と共に可撓爪を形成しており、前記キーシリンダが前記ロッドの係止位置で回転操作されると、前記ストッパ部が前記作動部材に設けられた被係合部に係合することにより前記ロック状態に切り換えられ、かつ、その切り換え時に前記可撓爪が前記ハウジングに設けられた凹凸部に摺接して節度感を伴うことを特徴とする請求項１に記載の開閉体のロック装置。
【請求項３】
前記カムは、前記キーシリンダの本体に対し着脱可能に装着されていることを特徴とする請求項１又は２に記載の開閉体のロック装置。
【請求項４】
前記カムは、前記ストッパ部を２つ有し、一方のストッパ部が前記被係合部に係合したときに、他方のストッパ部が前記ハウジングに設けられた当接面に当接して回転規制することを特徴とする請求項１から３の何れかに記載の開閉体のロック装置。
【請求項５】
前記カムは、下面に突設した脚片を有し、前記脚片が前記ハウジングに設けられたガイド溝に抜け止め可能、かつ所定角だけ回動可能に嵌合されていることを特徴とする請求項１から４の何れかに記載の開閉体のロック装置。
【請求項６】
前記キーシリンダは前記ストッパ部を前記被係合部に係合したロック状態、及び前記ストッパ部を前記被係合部より所定角離間したロック解除状態に切り換えられ、
前記凹凸部は前記ハウジングの２カ所に設けられており、
前記可撓爪は前記キーシリンダが回転操作されて前記ロック状態に至る直前に前記凹凸部の一方に摺接し、及び前記ロック解除状態に至る直前に前記凹凸部の他方に摺接してそれぞれ節度感を伴うようにすることを特徴とする請求項２から５の何れかに記載の開閉体のロック装置。
【請求項７】
前記作動部材は、前記ロッドの動きを制御するガイド溝を形成している主縦板と、前記主縦板に一体化されてばね部材により上昇方向へ付勢される水平板とを有していると共に、前記被係合部を前記主縦板に突設していることを特徴とする請求項２から６の何れかに記載の開閉体のロック装置。
【発明の詳細な説明】
【技術分野】
【０００１】
本発明は、開閉体を固定本体に係脱するロック装置のうち、キーシリンダにより操作部材の動きを規制するロック状態と操作部材の動きを許容するロック解除状態とに切り換える構成に好適な開閉体のロック装置に関する。
【背景技術】
【０００２】
図１４及び図１５は特許文献１に開示のロック装置を示し、図１４（ａ）はロック装置と開閉体及び固定本体との関係を示し、（ｂ）はロック装置を正面側より見た図、図１５（ａ）はロック装置を分解した図、（ｂ）はロック装置を背面側より見た図である。同図のロック装置１０は、開閉体７を固定本体１に係脱する場合に用いられて、ハウジング２０と、ハウジング２０に対し出没方向へ摺動して固定本体の開口部２に対する開閉体７の閉状態を保つ係止位置と係止解除位置に切り換えられるロッド７０，８０と、各ロッド７０，８０を係止位置から付勢力に抗した摺動により係止解除位置に切換可能な操作部材４０と、両ロッド７０，８０と操作部材４０の間に介在された作動部材である第１ロータ５０及び第２ロータ６０と、各ロッド７０，８０の係止位置で操作部材４０の動きを規制可能にするキーシリンダ９０及びストッパ９５とを備えている。
【０００３】
また、第１ロータ５０及び第２ロータ６０は、ハウジング２０の回転軸３３に枢支されて、コイルばね１５の付勢力により対応するロッド７０，８０がハウジング２０から突出する方向へ移動されるようにする。キーシリンダ９０は、図示しないキーの回転操作により回転する回転体９２と、回転体９２の背面側より突設したキー突起９３（不図示）を有している。また、ストッパ９５は、移動孔９６ａ付きの基部９６及び突片９７を有している。そして、突片９７は、キー操作によりキーシリンダ側のキー突起９３が移動孔９６ａ内で移動することで、ストッパ９５がハウジングのシリンダ配置部２３に設けられたストッパ差込孔２３ａ内にて横方向へ移動して、突片９７がガイド筒３１の後開口を覆って操作部材４０のガイド用ボス４７を押し込み不能に規制する。キーを反対側に戻すことにより押し込み規制が解除される。
【先行技術文献】
【特許文献】
【０００４】
【特許文献１】特開２０１５−１５８１１５号公報
【発明の概要】
【発明が解決しようとする課題】
【０００５】
上記ロック装置において、キーシリンダは、ロック解除状態から、回転体をキー操作により回転すると、ストッパが操作部材のガイド用ボス側へ移動されて操作部材の動きを規制するロック状態に切り換えられる。このような構造では、ストッパを横移動するスペースが必要となるためコンパクト化を図り難い。また、作動部材がロッドと操作部材の間に介在される２つのロータで構成されるため複雑でコンパクト化も擬制になり易い。更に、キーシリンダとしては、例えば、回転体が回転されてストッパが規制位置に移動したか否か感覚的に分からず使い勝手も悪い。
【０００６】
本発明の目的は、以上のような課題を解消して、キーシリンダにより操作部材の動きを規制するロック状態と動きを許容するロック解除状態との切換構造を簡略化したり、スペース効率に優れるようにする。加えて、キーシリンダのロック状態とロック解除状態の切換完了が感覚的に分かるようにして使い勝手を向上する。他の目的は以下の内容説明のなかで明らかにする。
【課題を解決するための手段】
【０００７】
上記目的を達成するため本発明は、図面を参照して特定すると、開閉体を固定本体に係脱する場合に用いられて、ハウジング１と、前記ハウジングに対し出没方向へ摺動して前記固定本体の開口部に対する前記開閉体の閉状態を保つ係止位置と係止解除位置に切り換えられるロッド（４Ａ及び／又は４Ｂ）と、前記ロッドを係止位置から付勢力に抗した摺動により係止解除位置に切換可能な操作部材２と、前記ロッドと前記操作部材の間に介在された作動部材３と、前記ロッドの係止位置で前記操作部材の動きを規制可能にするキーシリンダ６とを備えたロック装置において、前記キーシリンダは、下側（キー穴と反対側）に設けられて一体的に回動されるカム６３を有し、前記カムに形成されたストッパ部６５により前記作動部材を可動不能にして前記操作部材の動きを規制するロック状態と、前記操作部材の動きを許容するロック解除状態に切り換えることを特徴としている。
【０００８】
ここで、『開閉体』及び『固定本体』としては、例えば、開閉体が蓋類であれば固定本体の開口部がその蓋類で開閉されたり覆われる各種筺体などであり、開閉体が文献１のグローブボックス類であれば固定本体がそのグローブボックス類を配設している各種パネルなどである。以上の点は特許文献１の考え方と同じ。なお、開閉体としては固定本体に対し規則的に動くものであればよい。
【０００９】
以上の本発明は、請求項２〜７で特定したように具体化されることがより好ましい。
(１)、前記カム６３は、前記ストッパ部６５と共に可撓爪６７ａを形成しており、前記キーシリンダ６が前記ロッドの係止位置で回転操作されると、前記ストッパ部が前記作動部材３に設けられた被係合部３８に係合することにより前記ロック状態に切り換えられ、かつ、その切り換え時に前記可撓爪が前記ハウジングに設けられた凹凸部１８ｂに摺接して節度感を伴う構成である（請求項２）。なお、前記凹凸部は、原理的に非平面になっていることであり、具体的に断面凹凸状、断面波状、断面鋸状などの形状を含む広義な意味で使用している。また、節度感は、可撓爪が凹凸部を摺接することで発するクリック音ないしはそのクリック音で認識される感覚のことである。
(２)、前記カム６３は、前記キーシリンダ６に対し着脱可能に装着されている構成である（請求項３）。なお、請求項１のカムは、キーシリンダに一体に形成される構成と、形態例のごとくキーシリンダに後付けされる構成を含んでいる。
【００１０】
(３)、前記カム６３は、前記ストッパ部６５を２つ有し、一方のストッパ部が前記被係合部３８に係合したときに、他方のストッパ部が前記ハウジングに設けられた当接面１７ｄに当接して回転規制する構成である（請求項４）。
(４)、前記カム６３は、下面に突設した脚片６８を有し、前記脚片が前記ハウジングに設けられたガイド溝１８ａに抜け止め可能、かつ所定角だけ回動可能に嵌合されている構成である（請求項５）。
【００１１】
（５）、前記キーシリンダ６は前記ストッパ部６５を前記被係合部３８に係合したロック状態、及び前記ストッパ部を前記被係合部より所定角離間したロック解除状態に切り換えられ、前記凹凸部１８ｂは前記ハウジングの２カ所に設けられており、前記可撓爪６７ａは前記キーシリンダが回転操作されて前記ロック状態に至る直前に前記凹凸部の一方に摺接し、及び前記ロック解除状態に至る直前に前記凹凸部の他方に摺接してそれぞれ節度感を伴うようにする構成である（請求項６）。
（６）、前記作動部材３は、前記ロッドの動きを制御するガイド溝（３５及び／又は３６）を形成している主縦板３０と、前記主縦板に一体化されてばね部材Ｓ1により上昇方向へ付勢される水平板３１とを有していると共に、前記被係合部３８を前記主縦板に突設している構成である（請求項７）。
【発明の効果】
【００１２】
請求項１の発明では、キーシリンダが一体的に回動されるカムを有し、カムに形成されたストッパ部により作動部材を可動不能にして操作部材の動きを規制するロック状態と、操作部材の動きを許容するロック解除状態に切り換える。このため、ストッパ部としては、配置スペースが文献１のストッパに比べキーシリンダの外径相当に抑えられ、スペース効率がよくコンパクト化を図り易く、また、ストッパ部を形成しているカムがキーシリンダと一体に回動されることから、簡易であり切換作動を安定に維持できる。
【００１３】
請求項２の発明では、カムがストッパ部と共に可撓爪を有し、キーシリンダがロッドの係止位置で回転操作されると、ストッパ部が作動部材の被係合部に係合することで操作部材の動きを規制したロック状態に切り換えられる。その際、可撓爪がハウジングの凹凸部に摺接して節度感を伴うため、操作者は切換完了を感知できため使い勝手を向上でき高級感も得られる。
【００１４】
請求項３の発明ではカムがキーシリンダに後付けされる。この利点としては、形態例のごとくカムを樹脂成形体で作成し、脚片を追加することでハウジングに安定配置可能にしたり、請求項２の可撓爪を追加し易くなる。また、キーシリンダの回動方向を逆にする場合、図１〜図９の構成と、図１０〜図１３の変形例との対比から明かなごとくカム及びハウジングのキーシリンダ配置部の形状を若干変更するだけで対処できる。
【００１５】
請求項４の発明では、例えば、一方のストッパ部が被係合部に係合したときに、他方のストッパ部がハウジングの当接面に当接して回転規制するため、良好な切換作動を確実に得られる。
【００１６】
請求項５の発明では、カムが脚片を有し、脚片がハウジングのガイド溝に抜け止め可能、かつ所定角だけ回動可能に嵌合されているため、キーシリンダがハウジングに対して安定保持され、良好な回動作動をより確実に維持できる。
【００１７】
請求項６の発明では、凹凸部がハウジングの２カ所に設けられており、キーシリンダが回転操作されてロック状態に至る直前に一方の凹凸部を摺接する可撓爪により節度感を伴う、かつ、ロック解除状態に至る直前に他方の凹凸部を摺接する可撓爪によっても節度感を伴う。このため、各節度感により使い勝手を向上し、高級感も得られる。
【００１８】
請求項７の発明では、作動部材が特許文献１のロータ構造と比べ、簡易でコンパクト化も図り易い。また、作動部材が主縦板に被係合部を設けてカムのストッパ部により動きを規制するという簡明な構成も可能となる。
【図面の簡単な説明】
【００１９】
【図１】（ａ）は本発明形態のロック装置を開閉体が固定本体に係止された態様で示す模式図、（ｂ）は前記係止を解除して開閉体を開状態に切り換えるときの態様で示す模式図である。
【図２】（ａ）は図１のＡ−Ａ線拡大断面図、（ｂ）は図１のＢ−Ｂ線拡大断面図である。
【図３】上記ロック装置の構成として、（ａ）は図１のＸ部を拡大し、かつボタンのカバーを省くと共にキーシリンダを単独で装着した態様で示す図、（ｂ）は（ａ）のＣ−Ｃ線模式断面図、（ｃ）は（ａ）のＤ−Ｄ線模式断面図である。
【図４】上記ロック装置の構成として、（ａ）は図１（ａ）のロック解除状態からロック状態に切り換え、かつ操作部材であるボタンのカバーを省いた態様で示す図、（ｂ）は（ａ）のＣ１−Ｃ１線模式断面図、（ｃ）は（ａ）のＤ１−Ｄ１線模式断面図である。
【図５】上記ロック装置の構成部材を示す概略分解斜視図である。
【図６】（ａ）は上記ロック装置のハウジング単品を示す上面図、（ｂ）はハウジングのカム受け面周辺部の拡大図である。
【図７】上記ロック装置の各ロッドを連動させるための機構部材を示す説明図である。
【図８】上記ロック装置のキーシリンダ構成を示し、（ａ）は本体とカムを分離した分解図、（ｂ）は本体とカムを連結した図である。
【図９】上記キーシリンダのカム単品を示し、（ａ）は上面図、（ｂ）は（ａ）のＸ方向から見た図、（ｃ）は（ａ）のＺ方向から見た図である。
【図１０】上記ロック装置の変形例を示し、（ａ）は図１（ａ）に対しキーシリンダ配置部にカムのみ装着した態様で示す図、（ｂ）は（ａ）のＡ１−Ａ１線拡大断面図である。
【図１１】（ａ）は図１０のロック装置をロック状態に切り換えた態様で示す図、（ｂ）は（ａ）のＡ２−Ａ２線拡大断面図である。
【図１２】（ａ）は上記変形例のロック装置を構成しているハウジングを図６との対比で示す図、（ｂ）はハウジングのカム受け面周辺の拡大図である。
【図１３】上記変形例のキーシリンダを図８（ａ）との対比で示す図である。
【図１４】特許文献１のロック装置を示し、（ａ）及び（ｂ）は同文献の図１と図９を示している。
【図１５】（ａ）及び（ｂ）は特許文献１の図７と図８を示している。
【発明を実施するための形態】
【００２０】
以下、本発明の形態例について添付した図面を参照しながら説明する。この説明では、ロック装置の構造、作動、変形例の順に詳述する。
【００２１】
（ロック装置の構造）形態例のロック装置９は、図１〜図９に示されるごとく、開閉体を固定本体に係脱する場合に用いられて、略容器状のハウジング１と、ハウジング１に対し出没方向へ摺動して固定本体の開口部に対する開閉体の閉状態を保つ係止位置と係止解除位置に切り換えられるロッド４Ａ，４Ｂ（４）と、ロッド４Ａ，４Ｂを係止位置からばね部材Ｓ１の付勢力に抗した摺動により係止解除位置に切換可能な操作部材であるボタン２と、ロッド４Ａ，４Ｂとボタン２の間に介在された作動部材であるリンク３と、リンク３とロッド４Ｂの間に介在されたスライダ５と、ハウジング１とロッド４Ａの間に介在されたばね部材Ｓ２と、ロッド４Ｂを支持するベース５５と、ロッド４Ｂとベース５５の間に介在されたばね部材Ｓ３と、ロッド４Ａ，４Ｂの係止位置でボタン２の動きを規制可能にするキーシリンダ６と、ハウジング１に取り付けられてキーシリンダ６との間の隙間を覆うカバー７とを備えている。
【００２２】
まず、図１と図１０及び図１１において、符号８０は固定本体側の取付部である。この取付部８０には、例えば、固定本体の開口部を挟んだ両縁部に設けられて、ロッド４Ａの先端部４１と係脱する係止穴８１と、ロッド４Ｂの先端部４４と係脱する係止穴８１とが設けられている。なお、ロック装置９の構成部材のうち、ハウジンク１、ボタン２、リンク３、ロッド４、スライダ５、カバー７、ベース５５、カム６３などが樹脂製であり、キーシリンダ６の本体６０及びばね部材Ｓ１〜Ｓ３が金属製である。但し、各部材は材質的に制約されない。
【００２３】
ハウジング１は、図５〜図７に示されるごとく、全体が横又は左右に長い略容器状であり、ボタン配置部１０とキーシリンダ配置部１５とを左右に区画形成している。また、ボタン配置部１０の外側には、ロッド４Ａの基端側をボタン配置部１０内に挿入するロッド導入部１４が取付部１ａと並設されている。キーシリンダ配置部１５の外側壁には、取付部１ａと、ロッド４Ｂの基端４２を挿入するロッド導入部１９と、基端４２に軸４９により連結されるスライダ５を挿入するスライダ導入部１９ａとが並設されている。各導入部１４，１９，１９ａはトンネル状の導入孔を区画している。導入部１４と導入部１９の導入孔は同軸線上から若干ずれている。導入部１９ａは導入部１９の隣つまり幅方向に並んでいる。また、導入部１９ａは、外側壁の一部が窓状に開口１０ｂされて導入孔を露出している。そして、この構造では、開口１０ｂを利用して導入部１９と導入部１９ａを仕切っている境界壁部に軸４９と摺動自在に嵌合する不図示のガイド溝が設けられている。
【００２４】
ボタン配置部１０及びキーシリンダ配置部１５は上側が連通されている。ボタン配置部１０には、ダンパ８を収容する空間１１及び空間１１を区画している外側壁に設けられてダンパ８を外側から嵌合する嵌合穴１０ａ（図５を参照）と、リンク３の主縦板３０を摺動可能に収容する溝部１３と、後述するボタン用支持体３０の両側の脚片２３及び中央の支柱２２並びにガイド用片部２５ａ，２５ｂを摺動可能に収容する左右の空間１２ａ及び筒部１２並びに穴部１１ａと、各空間１２内に突設した係止爪１２ｂと、ロッド導入部１４の孔に連結されてロッド４Ａの基端側を摺動可能に受け入れる溝部１４ａと、溝部１４ａに設けられたばね用支持軸１４ｂとが設けられている。このうち、溝部１３は、ロッド導入部１４側からキーシリンダ配置部１５まで直線に延びた横溝１３ａ，１３ｂ，１３ｃと、横溝１３ｂの中間部から垂直ないしは幅方向に延びた縦溝１３ｄとからなる。横溝１３ｃには、略中間から垂直ないしは幅方向に欠肉された逃溝１３ｅが設けられている。横溝１３ａ，１３ｃ、逃溝１３ｅは貫通形成されている。また、溝部１３を区画している外側壁には、横溝１０ｅ及び横溝１０ｄが間隔を保って同軸線上に貫通形成されている。横溝１０ｄは、前記外側壁の凹所１０ｃに設けられている。そして、凹所１０ｃには、導入部１９ａの導入孔から挿入されるスライダの本体５０の対応端側を収まる。
【００２５】
キーシリンダ配置部１５には、上側段差部１６と、上側段差部１６の中央部を深く窪ませた略円筒状の内側段差部１７と、内側段差部１７の左右に設けられてカバー７の左右の係止片７４を受け入れる穴１７ａ及び該穴１７ａ内に突設した係止爪１７ｂと、内側段差部１７の内周面に設けられた突起部１７ｃ、１７ｊと、突起部１７ｃの周方向両端面である当接面１７ｄ，１７ｅと、突起部１７ｊの周方向で時計回りの端面である当接面１７ｋと、突起部１７ｃと間隔を保って設けられて突起部１７ｃと同じく上面にキーシリンダの本体６０を受け止める突起部１７ｆ、１７ｇと、内側段差部１７の底面中央部を浅く窪ませたカム受け面１８と、カム受け面１８に円弧状に貫通形成された一対のカム用嵌合穴１８ａと、内側段差部１７の底面にあってカム受け面１８の外周の一部分に沿って若干浅く形成された円弧状の摺接面１８ｃ及び摺接面１８ｃの両端である２箇所の凹凸部１８ｂとが設けられている。
【００２６】
ボタン２は、図５及び図７に示されるごとく、ボタン配置部１０に対し上下ないしは昇降可能に配置される支持体２０と、支持体２０に装着されて支持体の上側を覆うカバーとからなる。支持体２０は、平板部２１と、平板部２１の下面中央に突設されて筒部１２に余裕を持って挿入される支柱２２と、平板部２１の両側に下設されてガイド溝２４を区画して対応する空間１２ａに差し込まれる一対の脚片２３，２３と、平板部２１の左側角部に突設されて穴部１１ａに差し込まれるガイド用片部２５ａ，２５ｂと、平板部２１の下面に突設されて片部２５ａとほぼ連続している壁部２５ｃと、壁部２５ｃの端面に設けられた鋸状のラック２６と、平板部２１の両側端面に設けられた係止爪２７とを有している。
【００２７】
カバー２８は、平板部２１を覆う大きさの矩形状をなし、下面両側に突設されて係合穴２９ａを形成している片２９を有している。そして、カバー２８は、支持体２０に対し各係合穴２９ａと係止爪２７との係合により装着される。ボタン２は、支持体２０にカバー２８を装着した状態で、ハウジング１に対しリンク３及びばね部材Ｓ１を配置した後に組み込まれる。その場合、ボタン２は、片部２５ａ，２５ｂが穴部１１ａの対応部に嵌合されると共に、各脚片２３が対応する空間１２ａに差し込まれた状態で係止爪１２ｂがガイド溝２４に嵌合する。これにより、ボタン２は、ハウジング１に対しガイド溝２４の長さ分だけ摺動自在に組み立てられ、ガイド溝２４に嵌合している係止爪１２ｂにより抜け止めされる。
【００２８】
また、この構造では、ダンパ８が嵌合穴１０ａに装着された状態で空間１１内でラック２６と噛み合う。すなわち、ダンパ８は、本体８ａ及びギア８ｂ並びに係止片８ｃなどを有し、嵌合穴１０ａに対し係止片８ｃを介して取り付けられる。このダンパ８は、周知のロータリー式オイルダンパ等からなり、ギア８ｂが作動油の抵抗を受けている不図示の出力軸に装着されている。取付状態では、ギア８ａが支持体２０に設けられたラック２６と噛み合っている。そして、ダンパ８は、ボタン２がばね部材Ｓ１の付勢力に抗してリンク３と共にハウジング底面側に押し操作されたり、その押圧力を解放して蓄積された付勢力によりハウジング上側へ摺動される過程で、リンク３を介して緩やかに摺動されるようにする。
【００２９】
リンク３は溝部１３に摺動自在に嵌合される。詳述すると、リンク３は、横溝１３ａ，１３ｂ，１３ｃ及び逃溝１３ｅに嵌合する主縦板３０と、主縦板３０の上端面部分に連結された水平板３１と、水平板３１に下設されて溝部１３ｄに嵌合する副縦板３２とからなる。主縦板３０には、左右端に設けられて横溝１３ａ，１３ｃの対応部に嵌合する被係合部３４，３３と、ロッド４Ａ，４Ｂに作動連結するハ字形のガイド溝３５，３６とが設けられている。加えて、主縦板３０には、図３（ｃ）のごとく内面側にあって、上下に延びる縦リブ３７及びその縦リブ３７の下側に突設された被係合部３８が設けられている。これに対し、水平板３１には支柱挿通用の貫通孔３１ａが設けられている。
【００３０】
ロッド４は異形状のロッド４Ａ，４Ｂからなる。つまり、ロッド４Ａは、ロッド４Ｂに比べ短く形成されており、基端４０に設けられた軸孔４０ａ、及び取付部側の係止穴８０ａと係脱する先端部４１を有している。一方、ロッド４Ｂは、図５のごとくなって基端４２に設けられた軸孔４２ａ、及び取付部側の係止穴８０ａと係脱する先端部４４、並びに基端４２と先端部４４との間のロッド部分４３に設けられた規制鍔４５及びそれより先端側に設けられた掛止片４６を有している。
【００３１】
以上のロッド４Ａは、ハウジング１に対し、基端４０がロッド導入部１４の導入孔より溝部１４ａに挿入される。その際、ロッド４Ａは、支持軸１４ｂに挿入支持されたばね部材Ｓ２の対応端側を基端４０の端面に設けられた凹部又は凸部に嵌合し、その状態で軸４７が横溝１０ｅより主縦板のガイド溝３５、更に軸孔４０ａに係合すると共に、筒部１２と空間１２ａの間に設けられた不図示のガイド溝に嵌合することでガイド溝３５に沿って摺動可能に組み付けられる。すなわち、この構造では、ロッド４Ａがばね部材Ｓ１の付勢力でハウジング１内から突出する方向に摺動されており、ボタン２がリンク側主縦板３０及びばね部材Ｓ１の付勢力に抗して押されると、軸４７がガイド溝３５に案内作用により横溝１０ｅ内でロッド導入部１４側より横溝１０ｄ側へ動いて、ロッド４Ａをハウジング１内に没する方向へ動かす。
【００３２】
これに対し、ロッド４Ｂは、基端４０に軸４９により連結されるスライダ５と、ハウジング１から突出する方向へ付勢するためベース５５及びばね部材Ｓ３とを有している。スライダ５は、本体５０と、本体５０の一端側に設けられた軸孔５３と、本体５０の他端側に一体化された厚肉部５１と、厚肉部５１に設けられた軸孔５４と、厚肉部５１の外面と面一に延長された薄肉部５２とからなる。そして、ロッド４Ｂは、ハウジング１に対し、基端４２がロッド導入部１９の導入孔に挿入され、スライダ５が本体５０をロッド導入部１９ａの導入孔から凹所１０ｃへ挿入される。スライダ５は、軸４８が軸孔５３から横溝１０ｄ、主縦板のガイド溝３６、更にキーシリンダ配置部１５内の不図示のガイド溝に嵌合した状態に組み付けられる。また、スライダ５及びロッド４Ｂは、軸４９が軸孔５４から上記した不図示のガイド溝を通ってロッドの軸孔４２ａ、更にその奥に設けられた不図示のガイド溝に嵌合されることにより一体に摺動自在に連結される。
【００３３】
ベース５５は支持部５６及び左右の取付部５７，５７からなる。支持部５６には、ロッド４Ｂの先端側を左右に挿通する貫通孔５８と、ばね部材Ｓ３を支持する軸部５９と、掛止部５９ａとが設けられている。そして、ロッド４Ｂは、図１に示されるごとく、先端側が貫通孔５８に挿入されると共に、ばね部材Ｓ３の不勢力により突出方向へ付勢される。すなわち、ばね部材Ｓ３は、トーションばねないしは捻りコイルであり、軸部５９に支持された状態で、一端ａが支持部５６に設けられた掛止部５９ａに係止され、他端ｂがロッドに設けられた掛止片４６に係止される。そして、この構造では、ロッド４Ｂがボタン２及びリンク３などを介してハウジング１内に没する方向へ移動されるときにばね部材Ｓ３が付勢力を蓄積し、ボタン２に対する押圧を解放すると、ロッド４Ｂが蓄積された付勢力によりハウジング１内から突出する方向へ移動される。
【００３４】
一方、キーシリンダ６は、キー穴６１を上端面に形成している本体６０と、本体６０の下側に設けられて一体的に回動されるカム６３とからなる。本体６０は、細部を省略して模式的に示したが、カム６３及びカム６３との連結構造つまり本体６０の下端面に突設した凸部６２の構成を除いて特許文献１などの公知のキーシリンダの回転体と同じ。このような本体６０は、カム６３を連結した状態でキーシリンダ配置部１５の略筒状の内側段差部１７に嵌合されると共に、カバー７等を介して抜け止めされる。この場合、本体６０は、下側周囲に突出された不図示の円弧状突片を有し、該突片がキー操作により内蔵のスプリングの負荷により作動する。このため、内側段差部１７のうち、前記突片と圧接する内周壁部分は特に剛体部として形成されている。
【００３５】
カム６３は、円盤部６４と、円盤部６４の周囲にあって対向して突出された２つのストッパ６５，６５及び単一の揺動片６７と、上面に設けられて本体の凸部６２と係合する凹部６６と、下面に突設された一対の脚片６８とを一体に形成している。円盤部６４は、本体６０の下側外径と概略同径に形成されている。各ストッパ６５は、上記リンクの被係合部３８を受け止め可能な大きさの略矩状となっており、一方のストッパ部６５が図４（ｃ）のごとく被係合部３８の下面に係合したときに、他方のストッパ部６５が同（ａ）のごとく内側段差部１７に設けられた突起部１７ｃのうち逆時計回り方向にある当接面１７ｄに当接して回転規制する。なお、この当接面１７ｄは、奥側に突出した小さな凸を有し、ストッパ部６５がその凸に当たるようになっている。
【００３６】
揺動片６７は、ストッパ６５同士の間に設けられて、ストッパ６５よりも薄肉で弾性変位可能となっており、下面先端側に突出された可撓爪６７ａを有している。すなわち、キーシリンダ６は、図４のごとくストッパ部６５を被係合部３８に係合したロック状態（この状態では一方のストッパ部６５が当接面１７ｄに当接し、他方のストッパ部６５が突起部１７ｆの当接面１７ｋに当接することで回り止めされる）と、図３のごとくストッパ部６５を被係合部３８より所定角離間したロック解除状態（このときは一方のストッパ部６５が当接面１７ｅに当接することで回り止めされる）に切り換えられる。また、その際、可撓爪６７ａは、キーシリンダ６がキー操作により回転されてロック状態に至る直前に段差１８ｃに設けられた両凹凸部１８ｂの一方に沿って摺接する。また、可撓爪３７ａは、ロック解除状態に至る直前に凹凸部１８ｂの他方に沿って摺接する。これにより、この構造では、可撓爪６７ａが凹凸部１８ｂを摺接する際のクリック音を伴い、これにより節度感により使い勝手を向上できる。
【００３７】
カム６３は、単独又は本体６０と連結されたキーシリンダ６の態様で、各脚片６８がカム受け面１８に設けられた対応するガイド溝１８ａに抜け止め可能、かつ所定角つまりこの例では９０度だけ回動可能に嵌合される。このため、この構造では、カム６３やキーシリンダ６がハウジング１に対して安定保持され、良好な回動作動が維持される。また、この構造では、キーシリンダ配置部１５には、キーシリンダ６と共にカバー７が組付けられる。このカバー７は、図１のごとくキーシリンダ配置部１５に取り付けられて、上段段差部１６と本体６０の間を目視不能に覆う部材である。この例では、上面に本体１０を挿入する円形孔７１を形成していると共に、両側に突設されて係合穴７４ａを形成している片７４を有している。そして、カバー７は、例えば、キーシリンダ６が内側段差部１７内と共にカム受け面１８に位置決めされた状態から、上段段差部１６側に対し、各係合穴７４ａを対応する係止爪１７ｂに係合することにより装着される。
【００３８】
なお、図５において、符号７５はカバー７に類似のカバーを示している。つまり、このカバー７５は、カバー７に比べて円形孔７１を欠如しているが、それ以外はほぼ同じである。このようなカバー７５は、ロック装置として、例えばキーシリンダ６を省略するような構造に用いられる。
【００３９】
（作動）以下、以上のように作製されたロック装置９の主な作動特徴について言及する。
（１）、図１と図２及び図３は以上のロック装置９において、キーシリンダ６がボタン２の操作を許容するロック解除状態とされ、開閉体で固定本体の開口部を覆っている開閉体の閉状態を示している。この閉状態では、ボタン２及びリンク３がばね部材Ｓ１の付勢力で上昇されてボタン配置部１０をボタン２で覆っている。ロッド４のうち、ロッド４Ａは、ばね部材Ｓ２の付勢力によりハウジング１から突出する方向へ摺動されて、先端部４１を固定本体側取付部８０の係止穴８１に係合している。ロッド４Ｂは、ばね部材Ｓ３の付勢力によりハウジング１から突出する方向へ摺動されて、先端部４４を固定本体側取付部８０の係止穴８１に係合している。
【００４０】
（２）、図１（ｂ）は開閉体が固定本体の開口部を閉じた閉状態から、開口部を開放する開状態に切り換える操作を示している。すなわち、この場合、操作者は、例えば指Ｆによりボタン２をばね部材Ｓ１の付勢力に抗して押圧操作する。すると、この構造では、リンク３がボタン２と共にハウジング１の内底面方向に押し下げられ、それと連動して各ロッド４Ａ，４Ｂがリンク３のガイド溝３５，３６及び軸４７，４８等の作動によりばね部材Ｓ２，Ｓ３の付勢力に抗してハウジング１内の没方向に移動し、先端部４１，４４が対応する係止穴８１から係合解除される。このため、操作者は、図１（ｂ）の状態から開閉体を全開方向へ回動操作することができる。
【００４１】
（３）、ところで、この構造では、ボタン２に対する押圧を開放すると、リンク３及びボタン２がばね部材Ｓ１の付勢力により元の状態まで上昇される。そして、この上昇過程では、ボタン２の移動速度がダンパ８（リンクのラック２６とギア８ｂの噛み合い）により制動されてゆっくり動くため、操作性に優れ、高級感が得られる。勿論、このダンパ８による制動は、リンク３及びボタン２がばね部材Ｓ１の付勢力に抗して押圧操作するときも同様に働く。
【００４２】
（４）、開閉体を開状態から再び閉状態にする場合、通常は、ロッド４Ａ，４Ｂがハウジング１内から突出した状態であっても、ロッド先端部４１，４４が固定本体の取付部８０ないしは開閉体の取付部に当たりながら摺動する際に受ける応力により、ロッド４Ａ，４Ｂがばね部材Ｓ２，Ｓ３の付勢力に抗してハウジング１内へ没方向に動いて対応する係止穴８１に再び係合可能となる。
【００４３】
（５）、図４はロック装置９として、キーシリンダ６をキー操作により９０度回転し、ロック解除状態からロック状態に切り換えてボタン２の押操作を規制した状態を示している。この構造では、キーシリンダ６が図３のロック解除状態において、２つのストッパ部６５のうち一方のストッパ部６５が当接面１７ｅに当接した状態で回り止めされ 、かつ、可撓爪６７ａが２つの凹凸部１８ｂのうち突起部１７ｊに近い側の凹凸部１８ｂに嵌合されている。
【００４４】
そして、この構造では、キーシリンダ６がキー操作により時計回りの方向に回転されてロック状態に至る直前に、可撓爪６７ａが突起部１７ｆに近い側の凹凸部１８ｂに沿って摺接するためクリック音を伴い、また、一方のストッパ部つまり揺動片６７に近い側のストッパ部６５が当接面１７ｄに当たって回り止めする。同時に、図４（ｃ）の揺動片６７と大きく離れている側のストッパ部６５が被係合部３８の下面と係合する。その結果、リンク３及びボタン２は被係合部３８がストッパ部６５に規制されて下降つまり可動不能となる。可撓爪３７ａは、ロック状態からロック解除状態に切り換える場合、ロック解除状態に至る直前に突起部１７ｊに近い側の凹凸部１８ｂに沿って摺接するため、クリック音を伴い、これにより節度感により使い勝手を向上できる。
【００４５】
（変形例）図１０は図１（ａ）に対応した図、図１１は図１０のロック解除状態からロック状態に切り換えた図、図１２は図６に対応した図、図１３は図８（ａ）に対応した図である。この変形例では、キーシリンダ６をキー操作により回転してロック状態にしたり、ロック解除状態に切り換える操作として、上記形態のキー操作の回転方向と逆向きにする場合に好適な一例である。この説明では、上記形態と同じ部材や部位に同一符号を付して重複説明を省き、変更点だけを詳述する。
【００４６】
まず、ハウジング１では、キーシリンダ配置部１５が次のように形状変更されている。変形例のキーシリンダ配置部１５は、図６と図１２の対比から分かるごとく形態例のものを左右反転した状態となっている。すなわち、この配置部１５は、上側段差部１６と、上側段差部１６の中央部を深く窪ませた略円筒状の内側段差部１７と、内側段差部１７の左右に設けられてカバーの各係止片７４を受け入れる穴１７ａ及び該穴１７ａ内に突設した係止爪１７ｂと、内側段差部１７の内周面に突設されたストッパ用突起部１７ｃ、１７ｊと有し、また、突起部１７ｃの周方向両端面であるストッパ用当接面１７ｄ，１７ｅと、突起部１７ｊの周方向で逆時計回りの端面であるストッパ用当接面１７ｋと、突起部１７ｃと間隔を保って設けられて突起部１７ｃと同じく上面にキーシリンダの本体６０を受け止める突起部１７ｆ、１７ｇと、内側段差部１７の底面中央部を浅く窪ませたカム受け面１８と、カム受け面１８に円弧状に貫通形成された一対のカム用嵌合穴１８ａと、内側段差部１７の底面にあってカム受け面１８の外周の一部分に沿って若干浅く形成された円弧状の摺接面１８ｃ及び摺接面１８ｃの両端である２箇所の凹凸部１８ｂとを有している。
【００４７】
変形例のキーシリンダ６は、形態例に比べて本体６０は同じであり、カム６５の形状が左右反転されている。すなわち、図９のカム６３では、２つのストッパ部６５のうち、弾性片６７と近い側のストッパ部６５が時計回りに位置している。これに対し、図１３のカム６３では、２つのストッパ部６５のうち、弾性片６７と近い側のストッパ部６５が逆時計回り方向に位置している点で変更されている。
【００４８】
以上の変更により、この変形例では、例えば、キーシリンダ６が図１０のロック解除状態からキー操作により逆時計回りの方向に回転されて図１１のロック状態に至る直前に、可撓爪６７ａが突起部１７ｆに近い側の凹凸部１８ｂに沿って摺接するためクリック音を伴い、また、一方のストッパ部つまり揺動片６７に近い側のストッパ部６５が当接面１７ｄに当たって回り止めする。同時に、図１０（ｂ）の揺動片６７と大きく離れている側のストッパ部６５が被係合部３８の下面と係合する。その結果、リンク３及びボタン２は被係合部３８がストッパ部６５に規制されて下降ないしは可動不能となる。
【００４９】
なお、本発明のロック装置は、請求項１で特定される構成を備えておればよく、細部は以上の説明を参考にして変更したり展開可能なものである。その一例として、カムをキーシリンダに一体に形成したり、ダンパを省略して簡略化することである。
【符号の説明】
【００５０】
１・・・・・ハウジング（１０はボタン配置部、１５はキーシリンダ配置部）
２・・・・・ボタン（操作部材：２０は支持体、２８はカバー）
３・・・・・リンク（作動部材：３０は主縦板、３１は水平板、３２は副縦板）
４・・・・・ロッド（４Ａは左側ロッド、４Ｂは右側ロッド）
５・・・・・スライダ（５３，５４は軸孔）
６・・・・・キーシリンダ（６０は本体、６２は凸部）
７・・・・・カバー（７１は円形孔、７４は連結片）
８・・・・・ダンパ（８ａは本体、８ｂはギア、８ｃは係止片）
９・・・・・ロック装置
１８・・・・カム受け面（１８ａは円弧孔、１８ｂは凹凸部、１８ｃは段差）
１７・・・・内側段差部（１７ｃ，１７ｆは突起部、１７ｄ，１７ｅは当接面）
３５・・・・ガイド溝
３６・・・・ガイド溝
３８・・・・被係合部
５５・・・・ベース（５６は支持部、５７は取付部）
６３・・・・カム（６５はストッパ部、６６は凹部）
６７・・・・揺動片（６７ａは可撓爪）
８０・・・・固定本体の取付部（８１は係止穴）
Ｓ１・・・・ばね部材（付勢手段）
Ｓ２・・・・ばね部材（付勢手段）
Ｓ３・・・・ばね部材（付勢手段）
【図１】
2020060027.tif 000003
【図２】
2020060027.tif 000004
【図３】
2020060027.tif 000005
【図４】
2020060027.tif 000006
【図５】
2020060027.tif 000007
【図６】
2020060027.tif 000008
【図７】
2020060027.tif 000009
【図８】
2020060027.tif 000010
【図９】
2020060027.tif 000011
【図１０】
2020060027.tif 000012
【図１１】
2020060027.tif 000013
【図１２】
2020060027.tif 000014
【図１３】
2020060027.tif 000015
【図１４】
2020060027.tif 000016
【図１５】
2020060027.tif 000017